(57)【特許請求の範囲】
【請求項１】
複数の固定パーツと装着者の頭部形状に対応するようサイズを変更し得る複数の可変パーツとを連結することでウィッグベースを作製するに際して、上記可変パーツのサイズを調整するために装着者の頭部に装着して当該装着者の頭部を採寸する採寸用キャップであって、
上記ウィッグベースの複数の固定パーツと上記複数の可変パーツとに対応した複数の採寸用パーツを備え、フロントヘアラインとこれに連接する左右のサイドヘアラインとリアヘアラインとで外周を画成するよう、該複数の採寸用パーツ同士を連結して構成され、
上記フロントヘアラインの中央位置、上記左右のサイドヘアラインの耳上部、上記リアヘアラインの中央位置に目印が設けられていることを特徴とする、採寸用キャップ。
【請求項２】
前記採寸用パーツは、前額部のフロントヘアラインから頭頂部領域までを覆うフロント・センタパーツと、左右の側頭部を覆う各サイドパーツと、後頭部を覆うリアパーツと、左右の揉み上げ部を覆う各サイドバーンパーツと、襟足部を覆うネープパーツと、長さ可変のアジャスタパーツと、から構成され、
上記フロント・センタパーツは前額部の上記フロントヘアラインと頭頂部に向かう左右の縁部と後縁部とから略矩形に形成され、
上記サイドパーツは、フロントヘアラインの各端部から耳上部に亘る直線部とこの直線部から後側へ凹状に延びる後縁部と直線部の前端及び後縁部の後端を結ぶ円弧縁部とから扇型に形成され、
上記リアパーツは、前側へ湾曲した前縁部と後側へ湾曲し該前縁部の両端を結ぶ後縁部とから楕円型に形成されており、
上記フロント・センタパーツの左右の縁部と上記サイドパーツの円弧縁部とが連結され、
上記リアパーツの前縁部に上記フロント・センタパーツの後縁部と左右のサイドパーツの後縁部とが連結され、
左右のサイドパーツの直線部に上記サイドバーンパーツが連結され、
上記リアパーツの後縁部に上記ネープパーツ及び上記アジャスタパーツが連結されていることを特徴とする、請求項１に記載の採寸用キャップ。
【請求項３】
前記フロント・センタパーツの前縁部が前記フロントヘアラインを構成し、
前記連結後のサイドバーンパーツの外縁部及び前記連結後のアジャスタパーツの外縁部が前記サイドヘアラインを構成し、
前記ネープパーツの後縁が前記リアヘアラインを構成していることを特徴とする、請求項２に記載の採寸用キャップ。
【請求項４】
前記目印は、前記フロントヘアラインの中央位置から左側の耳上部と前記リアヘアラインの中央位置と右側の耳上部とを経て当該フロントヘアラインの中央位置までの第１目印ラインと、前記フロントヘアラインの中央位置からゴールデンポイントを経て前記リアヘアラインの中央位置までの第２目印ラインと、右側の耳上部からゴールデンポイントを通って左側耳上部までの第３目印ラインと、から構成されていることを特徴とする、請求項１〜３の何れかに記載の採寸用キャップ。
【請求項５】
前記第１目印ライン〜第３目印ラインが、連続線、破線、複数の点、仮想線のいずれかで構成されていることを特徴とする、請求項４に記載の採寸用キャップ。
【請求項６】
前記目印が糸で縫着されていることを特徴とする、請求項１〜５の何れかに記載の採寸用キャップ。
【請求項７】
前記リアパーツが、他のパーツより高い伸長特性を有することを特徴とする、請求項２に記載の採寸用キャップ。
【請求項８】
請求項１〜７の何れかに記載の採寸用キャップを頭部に装着する第１工程と、
下記（１）〜（３）の３箇所の寸法を計測する第２工程と、を含むことを特徴とする、採寸方法。
（１）前記フロントヘアラインの中央位置から左側の耳上部と前記リアヘアラインの中央位置と右側の耳上部とを経て当該フロントヘアラインの中央位置までの頭部外周の長さ。
（２）フロントヘアラインの中央位置からゴールデンポイントを経て前記リアヘアラインの中央位置までの長さ。
（３）右側の耳上部からゴールデンポイントを通って左側の耳上部までの長さ。
【請求項９】
前記第１工程が、装着者のヘアラインを設定しその中央位置を決定する段階を含むことを特徴とする、請求項８に記載の採寸方法。
【請求項１０】
複数の固定パーツと装着者の頭部形状に対応するようサイズを変更し得る複数の可変パーツとを連結して構成されるウィッグベースの作製方法であって、
請求項１〜７の何れかに記載の採寸用キャップを装着者の頭部に装着させて寸法を計測する採寸工程と、
上記採寸工程で計測した寸法に基づいて上記ウィッグベースを構成する複数の可変パーツのサイズを調整する調整工程と、
上記複数の固定パーツと上記複数の可変パーツとを連結させる連結工程と、を含み、
上記採寸工程が下記（１）〜（３）の３箇所の寸法を計測することを特徴とする、ウィッグベースの作製方法。
（１）前記フロントヘアラインの中央位置から左側の耳上部と前記リアヘアラインの中央位置と右側の耳上部とを経て当該フロントヘアラインの中央位置までの頭部外周の長さ。
（２）フロントヘアラインの中央位置からゴールデンポイントを経て前記リアヘアラインの中央位置までの長さ。
（３）右側の耳上部からゴールデンポイントを通って左側の耳上部までの長さ。
【発明の詳細な説明】
【技術分野】
【０００１】
本発明は、オーダーメイドでウィッグを作製する際、装着者の頭部に装着して寸法を計測するために利用する採寸用キャップとその採寸方法、そして、採寸して算出した寸法に従ってウィッグベースを作製する方法に関する。
【背景技術】
【０００２】
ウィッグの毛髪を植設するベースやキャップなど（以下、ウィッグベースと呼ぶ）は、装着者の頭部形状に合わせてサイズが決められる所謂オーダーメイドタイプと、サイズが予め決められている所謂レディメイドタイプ（既製品）とがある。既製品でもウィッグベースのサイズをアジャスター部などで多少調整が可能である。オーダーメイドタイプ及びレディメイドタイプの何れも、脱毛又は薄毛状態の頭部に対して装着して利用に供される。
【０００３】
しかし、例えば抗がん剤投与による脱毛の場合には、頭部全体に亘って脱毛が進行しているケースが多いので、レディメイドタイプのウィッグの装着においては、頭髪の抵抗が得られないために十分なフィット感が得られない。例えば、頭部よりウィッグのサイズが大きいとズレたり脱落したりし、かつらのサイズが小さいと頭部を締め付けたり痛みを生じたりするなど不快感が生じ、既製品のサイズ調整を行っても、その効果は十分ではない。このため、オーダーメイドタイプのウィッグが望ましい。
【０００４】
オーダーメイドタイプのウィッグは、ウィッグベースを装着者それぞれの頭部形状及びサイズに合うように成形するために、装着者の頭部形状の型取りが必要となり、この型取り方法として特許文献１では、頭部にプラスチックの薄いフィルムを被覆し、そのフィルム上からセロファンテープなどの粘着剤テープを幾重にも貼り付けて頭部雌型を作製する方法が開示されている。また、特許文献１には、５０〜６０℃の加熱で軟化させた樹脂を頭部に押し当てて引き伸ばした状態で冷却して頭部雌型を作製する方法が開示されている。
これらの方法で作製した頭形雌型に石膏を充填して頭計雄型を作製し、この雄型上で人工皮膚やネット素材のキャップを加工して頭部形状及びサイズに成形する。これにより、個々の装着者に一致したサイズのかつらを得ている。
【先行技術文献】
【特許文献】
【０００５】
【特許文献１】特公平５−１２４４２号公報
【発明の概要】
【発明が解決しようとする課題】
【０００６】
しかしながら、特許文献１による型取り方法やそれによって得られた型を利用したウィッグベースの加工方法は、非常に手間がかかり、作製コストも嵩む。
【０００７】
そこで、本発明者らは、レディメイドではないが、予めウィッグベースを構成する複数のパーツを用意し、装着者の頭部形状に応じてウィッグベース構成要素のパーツを調整して、ウィッグベースを構成する方法を検討した。
【０００８】
この手法では、先ずウィッグベースを構成する各パーツの形状及び大きさを規定しておき、サンプル用のウィッグベースを装着した状態で装着者の頭部を採寸する。次に、採寸値に応じてパーツの大きさや形状を一定のルールの下で調整する。次に、複数のパーツを連結させることで、装着者の頭部にフィットするウィッグベースを得ることができる。この手法によれば、作製が簡便になることに加えて、作製コストの低減も期待できる。
【０００９】
本発明者らが検討した上記手法は個々の装着者の頭部形状とサイズに沿うウィッグを簡単に得ることができることから、本発明者らは種々に研究を重ねた結果、上記手法の実施に好適なツール、つまり、装着者の頭部を採寸するための採寸用キャップを開発した。
【００１０】
このように、本発明は、ウィッグベースを容易に作成するために利用される採寸用キャップと、この採寸用キャップを利用した採寸方法と、採寸用キャップを利用してウィッグベースを作成する方法を提供することを目的とする。
【課題を解決するための手段】
【００１１】
上記目的を達成するために、本発明は、複数の固定パーツと装着者の頭部形状に対応するようサイズを変更し得る複数の可変パーツとを連結することでウィッグベースを作製するに際して、可変パーツのサイズを調整するために装着者の頭部に装着して当該装着者の頭部を採寸する採寸用キャップであって、ウィッグベースの複数の固定パーツと複数の可変パーツとに対応した複数の採寸用パーツを備え、フロントヘアラインとこれに連接する左右の襟足サイドヘアラインとリアヘアラインとで外周を画成するよう、該複数の採寸用パーツ同士を連結して構成され、フロントヘアラインの中央位置、左右のサイドヘアラインの耳上部、リアヘアラインの中央位置に目印が設けられていることを特徴としている。なお、本願において、ヘアラインとは、装着者の頭部の毛によって構成されるヘアライン自体に加えて、例えば脱毛して実際には頭部の全体或いは部分的にヘアラインが存在しない場合には、脱毛して毛が存在しない領域における仮想のヘアラインを含む意義で使用している。
【００１２】
本発明の採寸用キャップにおいて、採寸用パーツは、前額部のフロントヘアラインから頭頂部領域までを覆うフロント・センタパーツと、左右の側頭部を覆う各サイドパーツと、後頭部を覆うリアパーツと、左右の揉み上げ部を覆う各サイドバーンパーツと、襟足部を覆うネープパーツと、長さ可変のアジャスタパーツと、から構成され、フロント・センタパーツは前額縁部のフロントヘアラインと頭頂部に向かう左右の縁部と後縁部とから略矩形に形成され、サイドパーツは、フロントヘアラインの各端部から耳上部に亘る直線部とこの直線部から後側へ凹状に延びる後縁部と直線部の前端及び後縁部の後端を結ぶ円弧縁部とから扇型に形成され、リアパーツは、前側へ湾曲した前縁部と後側へ湾曲し該前縁部の両端を結ぶ後縁部とから楕円型に形成されており、フロント・センタパーツの左右の縁部とサイドパーツの円弧縁部とが連結され、リアパーツの前縁部にフロント・センタパーツの後縁部と左右のサイドパーツの後縁部とが連結され、左右のサイドパーツの直線部にサイドバーンパーツが連結され、リアパーツの後縁部にネープパーツ及びアジャスタパーツが連結されている。
【００１３】
本発明の採寸用キャップは、フロント・センタパーツの前縁部がフロントヘアラインを構成し、サイドバーンパーツの縁部及びアジャスタパーツの縁部がサイドヘアラインを構成し、ネープパーツの後縁がリアヘアラインを構成している。
【００１４】
本発明の採寸用キャップにおいて、好ましくは、目印は、フロントヘアラインの中央位置からの耳上部とリアヘアラインの中央位置と右側の耳上部とを経て当該フロントヘアラインの中央位置までの第１目印ラインと、フロントヘアラインの中央位置からゴールデンポイントを経てリアヘアラインの中央位置までの第２目印ラインと、右側の耳上部からゴールデンポイントを通って左側耳上部までの第３目印ラインと、から構成されている。リアパーツが、他のパーツより高い伸長特性を有する。
【００１５】
上記目的を達成するために、本発明の採寸方法は、前述の採寸用キャップを装着する第１工程と、下記（１）〜（３）の３箇所の寸法を計測する第２工程と、を含む。
（１）前記フロントヘアラインの中央位置から左側の耳上部と前記リアヘアラインの中央位置と右側の耳上部とを経て当該フロントヘアラインの中央位置までの頭部外周の長さ。
（２）フロントヘアラインの中央位置からゴールデンポイントを経て前記リアヘアラインの中央位置までの長さ。
（３）右側の耳上部からゴールデンポイントを通って左側の耳上部までの長さ。
【００１６】
上記目的を達成するために、本発明は、複数の固定パーツと装着者の頭部形状に対応するようサイズを変更し得る複数の可変パーツとを連結させて構成されるウィッグベースの作製方法であって、前述の採寸用キャップを装着者に装着させて寸法を計測する採寸工程と、採寸工程で計測した寸法に基づいて上記ウィッグベースを構成する複数の可変パーツの形状を変更する調整工程と、複数の固定パーツと上記複数の可変パーツとを繋ぎ合わせる縫製工程と、を含み、採寸工程が下記（１）〜（３）の３箇所の寸法を計測する。
（１）前記フロントヘアラインの中央位置から左側の耳上部と前記リアヘアラインの中央位置と右側の耳上部とを経て当該フロントヘアラインの中央位置までの頭部外周の長さ。
（２）フロントヘアラインの中央位置からゴールデンポイントを経て前記リアヘアラインの中央位置までの長さ。
（３）右側の耳上部からゴールデンポイントを通って左側の耳上部までの長さ。
【発明の効果】
【００１７】
本発明によれは、使用者の頭部にフィットするウィッグベースを容易に製造することができる。採寸用キャップを複数のパーツの接ぎ合せにより構成していること、採寸用キャップに一定の伸長性を持たせたこと、採寸個所に目印を付設したことで、より精度の高い採寸が可能になりウィッグ装着時のフィット感を向上させることができる。また、採寸用キャップに目印を付設したことで採寸が短時間で容易になり、装着者の採寸による負担が軽減される。
【図面の簡単な説明】
【００１８】
【図１】本発明の実施形態に係る採寸用キャップの左側面図である。
【図２】図１のＡ矢視図である。
【図３】図１のＢ矢視図である。
【図４】図１のキャップを構成する各パーツの展開図である。
【図５】（Ａ）は本発明の実施形態に係る採寸用キャップの概略左側面図、（Ｂ）は（Ａ）の概略Ａ矢視図、（Ｃ）は（Ａ）の概略Ｂ矢視図である。
【図６】（Ａ）は図５（Ａ）の概略Ａ矢視図、（Ｂ）は図５（Ａ）の概略Ｂ矢視図である。
【図７】本発明の実施形態に係る採寸用キャップの概略左側面図である。
【図８】本発明の実施形態に係る型紙を示す模式図である。
【発明を実施するための形態】
【００１９】
図１は本発明の実施形態に係る採寸用キャップ１（以下、キャップと呼ぶ場合がある。）の左側面図であり、図２は図１のＡ矢視図であり、図３は図１のＢ矢視図である。図４は図１のキャップ１を構成する各パーツの展開図である。
【００２０】
本実施形態に係るキャップ１は、ウィッグベース（図示省略）を作製する際に、装着者の頭部に装着して当該装着者の頭部を採寸するための採寸用のキャップである。
【００２１】
本実施形態の採寸用キャップ１を利用する理由は、以下の事由による。
先ず、ウィッグベースは、図示省略するが、複数のパーツを連結させて構成されている。ウィッグベースが装着者の頭部にフィットするようウィッグベースのパーツ全てを装着者の頭部のサイズに応じて変形させたのでは、作製に時間がかかりすぎてしまう。そこで、本発明者らはウィッグベースを構成するパーツを、装着者の頭部の形状にかかわらず一定のサイズのものとした複数の固定パーツと、装着者の頭部に応じてサイズを変更し得る可変パーツとで、構成し、これらを連結、例えば縫着して、ウィッグベースを構成することを考えた。
次に、可変パーツのサイズの調整が重要である。測定者が装着者の頭部の任意の箇所を採寸するのであれば、同じ装着者であっても採寸値にばらつきが出てしまう。
以上の問題を考慮して、何れの測定者が採寸しても同じ或いは同等の採寸結果を得られるように、本発明者は採寸用のキャップ（本実施形態）１を開発した。この採寸用キャップ１は、可変パーツのサイズを調整するために装着者の頭部に装着して当該装着者の頭部を採寸するためのものである。
以下、本実施形態に係るキャップ１について詳述する。
【００２２】
キャップ１は、９つのネット状パーツ部材を連結、例えば縫着して構成されている。具体的には、本実施形態では、図４に示すように、ネット状パーツとして、装着者の前額部のフロントヘアラインから頭頂部領域までを覆う第１パーツ１１（フロント・センタパーツ）と、左側頭部を覆う第２パーツ１２（サイドパーツ）と、右側頭部を覆う第３パーツ１３（サイドパーツ）と、後頭部を覆う第４パーツ１４（リアパーツ）と、揉み上げ部を覆う第５パーツ１５及び第６パーツ１６（サイドバーンパーツ）と、襟足部、つまりネープ部を覆う第７パーツ１７（ネープパーツ）と、第８パーツ１８及び第９パーツ１９（アジャスタパーツ）と、から構成されている。
なお、キャップ１を構成するパーツの内、ウィッグベースの複数の固定パーツに対応した部材が、第４パーツ１４（リアパーツ）と、第５パーツ１５及び第６パーツ１６（サイドバーンパーツ）と、第７パーツ１７（ネープパーツ）とであり、ウィッグベースの複数の可変パーツに対応した部材が、第１パーツ１１（フロント・センタパーツ）と、第２パーツ１２（サイドパーツ）及び第３パーツ１３（サイドパーツ）と、第８パーツ１８及び第９パーツ１９（アジャスタパーツ）とである。
【００２３】
これらの採寸用パーツ、即ち第１パーツ１１〜第９パーツ１９同士は、フロントヘアラインＦＬ（図２）とこれを連接する左右のサイドヘアラインＳＬ（図１）とリアヘアラインＲＬ（図３）とで外周を構成するよう、連結される。
【００２４】
第１パーツ１１は、図４に示すように、前縁部１１１と左右の縁部１１２，１１３と後縁部１１４とから長方形型（略矩形）に形成されている。前縁部１１１が前額部のフロントヘアラインＦＬを構成する。左右の縁部１１２，１１３は、フロントヘアラインＦＬの両端から頭頂部へ向かっている。
【００２５】
第２パーツ１２及び第３パーツ１３は、図４に示すように、フロントヘアラインＦＬの各端部から耳上部（図１の符号Ｃ２のポイント）に亘る直線部１２１，１３１と、この直線部１２１，１３１から後側へ凹状に延びる後縁部１２２，１３２と、前縁部１２１，１３１の前端と後縁部１２２，１３２の後端とを結ぶ円弧縁部１２３，１３３と、から扇型に形成されている。
なお、直線部１２１，１３１と後縁部１２２，１３２とがなす角度θは、例えば１００〜１５０°程度に設定されている。
第２パーツ１２及び第３パーツ１３の円弧縁部１２３，１３３は、第１パーツ１１の左右の縁部１１２，１１３に縫い付けられる。第２パーツ１２及び第３パーツ１３の円弧縁部１２３，１３３の長さは、第１パーツ１１の左右の縁部１１２，１１３の長さに対応するように、各パーツ１１，１２，１３の寸法が選定されている。
【００２６】
第４パーツ１４は、図４に示すように、前方側へ張り出した円弧状の前縁部１４１と、この前縁部１４１とは逆側へ張り出して円弧状に形成され、前縁部１４１の両端を結ぶ後縁部１４２と、から楕円型に形成されている。この第４パーツ１４は、伸長性を有する。他のパーツ１１〜１３、１５〜１９で使用するネットよりも伸長特性が高く、例えば一方向は１００ｇ加重時の伸度が４０％程度、他方向は１００ｇ加重時の伸度が１５％程度であることが好ましい。この部位にこのようなネットを用いることで、頭部に残毛がある状態で採寸してウィッグを作製して、脱毛後にウィッグを装着してもフィット感が十分得られる。
この第４パーツ１４の前縁部１４１には、中央に第１パーツ１１の後縁部１１４が縫い付けられ、その左右側に第２パーツ１２及び第３パーツ１３の後縁部１２２，１３２が縫い付けられる。
第４パーツ１４の前縁部１４１の長さは、第１パーツ１１の後縁部１１４の長さと、第２パーツ１２及び第３パーツ１３の各後縁部１２２，１３２の長さとを合わせた長さになるように、各パーツ１４，１２，１３の寸法が選定されている。
【００２７】
第５パーツ１５及び第６パーツ１６は、本実施形態では、前縁部１５１，１６１と、これに平行な後縁部１５２，１６２と、前縁部１５１，１６１と後縁部１５２，１６２の両端部をそれぞれ結ぶ一対の側縁部１５３，１５４，１６１３，１６４と、から台形状に形成されている。
内側の側縁部１５３，１６４は、前縁部１５１，１６１と後縁部１５２，１６２とに対して直角である。後縁部１５２，１６２が前縁部１５１，１６１よりも長いため、外側の側縁部１５４，１６４は内側の側縁部１５３，１６３に対して非平行である。
第５パーツ１５及び第６パーツ１６の内側の側縁部１５３，１６３は、左右の第２パーツ１２及び第３パーツ１３の直線部１２１，１３１に縫い付けられる。
第５パーツ１５及び第６パーツ１６の側縁部１５３，１６３の長さは、第２パーツ１２及び第３パーツ１３の直線部１２１，１３１の長さに対応するように、各パーツ１５，１６，１２，１３の寸法が選定されている。
第５パーツ及び第６パーツの外側の側縁部１５４，１６４と後縁部１５２，１６２とは、第８パーツ１８及び第９パーツ１９と共に、サイドヘアラインＳＬを構成する。
【００２８】
第７パーツ１７は、弧状の前縁部１７１と、後側へ張り出した二つの凸部１７２Ｌ，１７２Ｒを左右対称位置に有する後縁部１７２と、から構成されている。
第７パーツ１７の前縁部１７１は、第４パーツ１４の後縁部１４２に対応して中央が窪むように形成されており、第４パーツ１４の後縁部中央側に縫い付けられる。
第７パーツ１７の後縁部１７２は、リアヘアラインＲＬを構成する。
【００２９】
第８パーツ１８及び第９パーツ１９は、細長い切れ片状に形成されており、例えば線状のゴムが取り付けられている。
第８パーツ１８及び第９パーツ１９は、その長辺１８１，１９１を第４パーツ１４の左右位置に沿わせて、縫い付けられる。
第８パーツ１８及び第９パーツ１９の長辺部１８１，１９１の長さと第７パーツ１７の前縁部１７１の長さとを合わせた長さが、第４パーツ１４の後縁部１４２の長さに対応するように、各パーツ１８，１９，１４の長さが選定されている。
第８パーツ１８及び第９パーツ１９の縁部は前述の第５パーツ及び第６パーツと共にサイドヘアラインＳＬを、構成する。
【００３０】
これらの第１パーツ１１〜第９パーツ１９が連結されて、ボウル型のキャップ１が構成される。このようにしてキャップ外周には、フロントヘアラインＦＬとサイドヘアラインＳＬとリアヘアラインＲＬとが画成される。
【００３１】
本実施形態では、採寸用の目印、つまりどの位置に沿って採寸するかを示す目印が設けられている。
図５（Ａ）は本発明の実施形態に係るキャップの概略左側面図であり、図５（Ｂ）は図５（Ａ）のＡ矢視図であり、図５（Ｃ）は図５（Ａ）のＢ矢視図である。
これらの図で、太線で示すように、キャップ１の外周を一周した第１目印ラインＬ１が設けられている。
具体的には、第１目印ラインＬ１は、第１パーツ１１の前縁部１１１と、第２パーツ１２及び第３パーツ１３の直線部１２１，１３１と、第４パーツ１４の後縁部１４２とに沿って、キャップ１を一周するように設けられている。
この第１目印ラインＬ１は、装着者のフロントヘアラインＦＬの中央位置Ｃ１、左側のサイドヘアラインＳＬの耳上部Ｃ２、装着者のリアヘアラインＲＬの中央位置Ｃ３、右側のサイドヘアラインＳＬの耳上部Ｃ２を通っている。
【００３２】
さらに、本実施形態では、目印として、図６に示すように第１パーツ１１の前縁部中間位置から正中線を通って後頭部ぼんの窪みまでに沿って設けられた第２目印ラインＬ２と、図７に示すように右側の耳上部Ｃ２からゴールデンポイントＣ４を通って左側の耳上部Ｃ２までの第３目印ラインＬ３と、が設けられている。ここで言うゴールデンポイントＣ４とは、前頭縁部の中心点、つまり前述の中心位置Ｃ１を起点として後頭部にかけて正中線上の１６ｃｍの位置をゴールデンポイントと定義している。
第２目印ラインＬ２は、装着者のフロントヘアラインＦＬの中央位置Ｃ１からゴールデンポイントＣ４を経て装着者のリアヘアラインＲＬの中央位置Ｃ３までを結んでいる。
【００３３】
以上のように本実施形態に係る採寸用キャップ１は構成されている。この採寸用キャップ１を利用して装着者頭部の採寸が行われる。この手法を、以下、「採寸方法」と呼ぶ。
【００３４】
本実施形態に係る採寸方法では、１種類の採寸用キャップ１だけを利用するのではなく、サイズの異なる複数の採寸用キャップ１を用意しておき、それらの内で装着者の頭部の大きさに応じたサイズの採寸用キャップ１を選択して、装着者の頭部を採寸する。
【００３５】
例えば、表１に示すように、サイズの異なる５種類の採寸用キャップ１（表中のタイプＩ〜Ｖ）を用意しておく。
【表１】
0005534859.tif 000002
【００３６】
表中のｓ１はキャップ外周の寸法値である。第１パーツ１１の前縁部１１１の寸法と、第２パーツ１２及び第３パーツ１３の各直線部１２１，１３１の寸法と、第４パーツ１４の後縁部１４２の寸法との合算値がｓ１である。
ｓ２は、図６に示すように、第１パーツ１１の前縁部中間位置からゴールデンポイントを通って盆の窪までの長さ（第２目印ラインＬ２に沿った長さ）である。
ｓ３は図７に示すように、左耳上の位置からゴールデンポイントを通って右耳上の位置までの長さ（第３目印ラインＬ３に沿った長さ）である。
ｓ４は、図５（Ｂ）に示すように、第１パーツ１１の前縁部１１１の幅である。
ｓ５は、図５（Ａ）に示すように、第５パーツ１５及び第６パーツ１６の各側縁部１５３，１６３の長さである。
ｓ６は、第５パーツ１５及び第６パーツ１６の後縁部１５２，１６２の長さである。
ｓ７は、第７パーツ１７の前縁部１７１の長さである。
ｓ８は、第８パーツ１８及び第９パーツ１９の長辺部１８１，１９１の長さである。
【００３７】
表１のように、各キャップ間のサイズは０．５〜３．０ｃｍ程度の差にすると精度の高い採寸ができるので好ましく、各キャップ間のサイズ差が大き過ぎると、キャップ装着時に頭部とキャップとの隙間、或いは当接部分の調整が難しく、採寸精度を低下させる。一方各キャップ間のサイズ差が小さいと、どのキャップを装着しても殆ど変らないために頭部の正確なサイズを把握できなくなる。
【００３８】
第４パーツ１４として例えば縦方向は１００ｇ加重時の伸度が４０％程度、横方向１００ｇ加重時の伸度が１５％程度のネット部材を使用し、他のパーツとして縦方向１００ｇ加重時の伸度が３０％程度、横方向１００ｇ加重時の伸度が１０％程度のネット部材を使用することで、各キャップのサイズ差と同程度の伸張ができるように、各キャップ１は構成されている。これは、一つのキャップを装着することで、次のサイズのキャップまでの範囲をカバーできるため、より精度の高い採寸が可能となる。キャップの伸張が十分でない場合には、サイズが合わずに装着可能なキャップが存在しない事態が発生したり、採寸した結果が装着したキャップのサイズと全て同一になる可能性が高く、装着者頭部のサイズが不正確になる。
【００３９】
採寸方法は、上記のように所定のパーツのサイズを変えた複数の採寸用キャップ１の中から大まかにフィットするキャップを複数個選び、各々装着して１０〜１５分経過後に頭部への締め付けが一番少ないキャップを頭部サイズ採寸キャップとして、頭部に装着した状態で採寸を行う。キャップ装着時に、装着者のヘアラインを設定し、例えばフロントヘアラインＦＬを設定し、その中央位置を決定する。
【００４０】
実際の採寸はキャップ１を構成する各パーツ１１〜１９の寸法を測定するのではなく、目印ラインのある以下の３箇所の長さを測定する。
第１測定箇所：図５に示すように、前頭縁から右又は左側頭縁部を通り、アジャスター部（第８パーツ１８及び第９パーツ１９）を通り、後頭縁部から、再びアジャスター部及び側頭縁部を通り、前頭縁８に至る外周。つまり、第１目印ラインＬ１に沿った長さである。
第２測定箇所：図６に示すように、前頭縁部の中心点から正中線を通って後頭部ぼんの窪みまでの長さ。つまり、第２目印ラインＬ２に沿った長さである。
第３測定箇所：図７に示すように、右側耳上部からゴールデンポイントを通って左側耳上部までの長さ。つまり、第３目印ラインＬ３に沿った長さである。
【００４１】
本実施形態で、採寸を３箇所に限定しているのは以下の理由による。
採寸にあたり、採寸個所を多くすると、各パーツ間での歪みが大きくなり、その歪みを解放しようとすると、各パーツの形状変更が必要になり相当な熟練を必要とすること、サイズ採寸のために装着した採寸用キャップと比べて形状が変形してしまい、結果としてフィット感が低下する傾向にある。
本実施形態では、全頭用ウィッグの装着時のフィット感及び装着者の安心感を得るために必要とされる部位の寸法に絞込んで、上記の３個所とした。
【００４２】
これらの採寸値に基づいて、実際のウィッグキャップつまりウィッグベースが作製される。実際の毛部材が取り付けられて使用に供されるウィッグベースは、前述したように、採寸用キャップ１と同様、第１パーツ１１〜第９パーツ１９から構成されている。本実施形態では、採寸値に基づいて、第１パーツ１１〜第９パーツ１９の全ての大きさや形状を変えるのではなく、一部のパーツ、つまり可変パーツだけ大きさや形状を変えて、各第１パーツ１１〜第９パーツ１９を連結させて、ウィッグベースを作製する
【００４３】
次に上記の通り採寸した３個所の頭部サイズを元に、実際のウィッグベースを作製する方法について説明する。
【００４４】
第１測定箇所の採寸値は、第１目印ラインＬ１に沿った長さで、第１パーツ１１の前縁部１１１、第２パーツ１２及び第３パーツ１３の直線部１２１及び１３１、第４パーツ１４の後縁部１４２の長さを足した長さに相当しており、この採寸値は表１のｓ１と比較される。Ｓ１に対する採寸値の差分を、第８パーツ１８及び第９パーツ１９の長さで調整する。例えば、採寸値がＳ１よりも短い場合は、その差分だけ第８パーツ１８及び第９パーツ１９を等しく短くする。
【００４５】
ここで、第１目印ラインＬ１に沿った、各パーツの部位の寸法を変更しようとした場合には、縫製してキャップにした時に歪みが出ないようにするために、各パーツの変更する割合を決める事は困難である。このために、ウィッグの装着時にフィット感を調節できる第８パーツ１８及び第９パーツ１９（所謂アジャスター部）の長さを変更すれば、各パーツ１１〜１９の形状を変更することなく歪みの発生を防止できる。
【００４６】
第２測定箇所の採寸値は、第２目印ラインＬ２に沿った長さで、第１パーツ１１の長手方向、第４パーツ１４の短手方向の長さを足した長さに相当しており、この採寸値は表１のｓ２と比較される。Ｓ２に対する採寸値の差分を、第１パーツ１１の長さで調整する。具体的には、第１パーツ１１の前縁部１１１から後縁部１１２までの長さを変更する。
【００４７】
このように第１パーツ１１のみを変更し、第４パーツ１４の変更は行わない。第４パーツ１４の変更を行わない理由は、フィット感が急激に低下するので好ましくないことに拠る。全頭を覆うウィッグで装着時のフィット感、装着者の安心感を得る場所は、頭頂部と側頭部のフィット感や締め付け感であり、これらは第４パーツ１４に起因する。
【００４８】
第３測定箇所の採寸値は、第３目印ラインＬ３に沿った長さで、第２パーツ１２及び第３パーツ１３の直線部１２１及び後縁部１２２の長さ（後述の半径Ｒ）、第１パーツ１１の短手方向の長さを足した長さに相当しており、この採寸値は表１のｓ３と比較される。Ｓ３に対する採寸値の差分を、第２パーツ１２及び第３パーツ１３で調整する。具体的には、第２パーツ１２及び第３パーツ１３は半径Ｒで角度θの扇型に形成されているため、角度θを一定にした状態で、半径Ｒを変えて、第２パーツ１２及び第３パーツ１３の各サイズを調整する。
【００４９】
以上のように、ウィッグベースのパーツの調整を行うが、実際には、装着した採寸用キャップ１の型紙を用意し、この型紙上で採寸したサイズに基づき該当するパーツのサイズの変更を行う。図８は、型紙を示す模式図であり、図中の破線が、サイズを変えられた可変パーツを示し、実線が変更前の形状を示している。
そして、この型紙をネット部材の上に置いて型紙の形状をネット部材に写して、ネット部材を写した形状に沿って裁断する。そして、図４のように各パーツを配置して縫製によりウィッグベースを組み立てる。このとき、ウィッグベースのアジャスター部（つまり、第８パーツ及び第９パーツ）はゴム弾性のある素材をネット部材に包んで形成し、ウィッグベース全体の締め付け具合の調整部分とする。作製したウィッグベースに人毛又は人工毛髪を公知の方法で植設して、全頭用ウィッグが完成する。
【００５０】
このように、本実施形態に係る採寸用キャップを、複数のパーツを連結させて構成されるウィッグベースの作製において、当該ウィッグベースに代えて装着者の頭部に装着して採寸するために利用することで、ウィッグベースを容易に作製させることができる。つまり、ウィッグベースを複数のパーツに分割して、なお且つ縫製によって一体化することで、頭部に装着した時に頭部の各部位の形状に応じて伸長させたウィッグベースを、当該ウィッグベースと同様に複数に分割された第１パーツ１１〜第９パーツ１９で構成された採寸用キャップを利用して採寸し、その一部のパーツだけ寸法を採寸値に応じて調整することで、装着者の頭部にフィットするウィッグベースを作成することができる。
【００５１】
また、抗癌剤投与によって頭皮が敏感になっている装着者に対して、特許文献１の型取り方法を実施することは、装着者に与える負担が大きいが、本実施形態では、装着者の頭部に採寸用キャップを緩く装着させて採寸が行えるので、装着者に過度の負担を与えることがない。
【００５２】
本実施形態の採寸用キャップ及びウィッグベースでは、第４パーツ１４として伸縮性の高いネット部材を利用することで、装着者の盆の窪より下側（首側）部分領域における、十分なフィット感を装着者に与えることができる。特許文献１の型取り方法では装着者の盆の窪より下側（首側）部分の形状を正確に再現することができない。
【００５３】
以上説明したが、本発明は、発明の趣旨を逸脱しない範囲おいて実施をすることができる。
上記実施形態では、目印としての第１目印ラインＬ１〜第３目印ラインＬ３は連続した線（実線）であったが、間欠状の点線（破線）、点、仮想の線などであってもよいことは勿論である。本発明の目印は、例えば糸を縫着して形成されたものの他、他の布片などを縫着させたものであってもよい。また、目印は、フロントヘアラインＦＬの中央位置Ｃ１、左右の襟足サイドヘアラインＳＬの耳上部Ｃ２、リアヘアラインＲＬの中央位置Ｃ３にだけ、例えば点状に設けられていてもよい。
本発明のキャップを構成する各パーツは、ネット製の部材に限らず、布製の部材、又は人工皮膚の何れでもよい。
【符号の説明】
【００５４】
１    採寸用キャップ
１１  第１パーツ（フロント・センタパーツ）
１２  第２パーツ（サイドパーツ）
１３  第３パーツ（サイドパーツ）
１４  第４パーツ（リアパーツ）
１５  第５パーツ（サイドバーンパーツ）
１６  第６パーツ（サイドバーンパーツ）
１７  第７パーツ（ネープパーツ）
１８  第８パーツ（アジャスタパーツ）
１９  第９パーツ（アジャスタパーツ）
Ｌ１  第１目印ライン
Ｌ２  第２目印ライン
Ｌ３  第３目印ライン
【図１】
0005534859.tif 000003
【図２】
0005534859.tif 000004
【図３】
0005534859.tif 000005
【図４】
0005534859.tif 000006
【図５】
0005534859.tif 000007
【図６】
0005534859.tif 000008
【図７】
0005534859.tif 000009
【図８】
0005534859.tif 000010